(57)【要約】【課題】冷媒が室外機に閉じ込まれた状態において、多くの冷媒が室外熱交換器から圧縮機内に移動することによって、圧縮機の信頼性が低下する。【解決手段】本発明の空気調和機１は、圧縮機１０と、四路切換弁１１と、室外熱交換器１３と、室内熱交換器１６とが接続された冷媒回路を備える。四路切換弁１１は、圧縮機１０の吐出側と室外熱交換器１３側とを連通させ且つ圧縮機１０の吸入側と室内熱交換器１６側とを連通させる第１状態と、圧縮機１０の吐出側と室内熱交換器１６側とを連通させ且つ圧縮機１０の吸入側と室外熱交換器１３側とを連通させる第２状態とを取り得るものである。冷媒回路は、室内熱交換器１６と室外熱交換器１３との間に配置された電動弁１４と、室外熱交換器１３と四路切換弁１１との間に配置された電磁弁１２とを有している。【選択図】図１
2015094573.tif 000002
【特許請求の範囲】
【請求項１】
圧縮機と、四路切換弁と、室外熱交換器と、室内熱交換器とが接続された冷媒回路を備え、
前記四路切換弁は、
前記圧縮機の吐出側と前記室外熱交換器側とを連通させ且つ前記圧縮機の吸入側と前記室内熱交換器側とを連通させる第１状態と、
前記圧縮機の吐出側と前記室内熱交換器側とを連通させ且つ前記圧縮機の吸入側と前記室外熱交換器側とを連通させる第２状態とを取り得るものであって、
前記冷媒回路は、
前記室内熱交換器と前記室外熱交換器との間に配置された第１閉鎖機構と、
前記室外熱交換器と前記四路切換弁との間に配置された第２閉鎖機構とを有していることを特徴とする空気調和機。
【請求項２】
前記圧縮機、前記四路切換弁、前記室外熱交換器、前記第１閉鎖機構および前記第２閉鎖機構は、室外機の内部に配置されることを特徴とする請求項１に記載の空気調和機。
【請求項３】
前記冷媒回路は、前記室外熱交換器と前記室内熱交換器との間に配置された流量調整用の電動弁を有しており、
前記第１閉鎖機構が、前記電動弁と異なる電磁弁であることを特徴とする請求項１または２に記載の空気調和機。
【請求項４】
前記第１閉鎖機構および前記第２閉鎖機構が、非通電時に閉状態となるように構成されることを特徴とする請求項１−３のいずれかに記載の空気調和機。
【請求項５】
前記冷媒回路は、複数の前記室内熱交換器を有しており、
前記室外熱交換器と前記複数の室内熱交換器との間に接続された第１ヘッダと、
前記四路切換弁と前記複数の室内熱交換器との間に接続された第２ヘッダと、
前記第１ヘッダと前記第２ヘッダとをそれぞれ接続し且つ前記室内熱交換器がそれぞれ配置された複数の分岐路を有していることを特徴とする請求項１−４のいずれかに記載の空気調和機。
【請求項６】
前記冷媒回路は、前記複数の分岐路のそれぞれにおいて、
前記第１ヘッダと前記室内熱交換器との間に配置された第３閉鎖機構と、
前記第２ヘッダと前記室内熱交換器との間に配置された第４閉鎖機構とを有していることを特徴とする請求項５に記載の空気調和機。
【請求項７】
前記複数の分岐路に、冷媒漏れ検知用の圧力センサまたは温度センサがそれぞれ配置されることを特徴とする請求項６に記載の空気調和機。
【請求項８】
前記圧力センサまたは前記温度センサは、前記複数の分岐路のそれぞれにおいて、前記第３閉鎖機構と前記第４閉鎖機構との間に配置されることを特徴とする請求項７に記載の空気調和機。
【請求項９】
前記第１ヘッダおよび前記第２ヘッダは、室外機の内部に配置されており、
前記室外機は、前記第１ヘッダおよび前記第２ヘッダのいずれかに接続され且つ室内機接続用の配管が接続される複数の配管接続部を有していることを特徴とする請求項５−８のいずれかに記載の空気調和機。
【請求項１０】
冷媒は、Ｒ３２冷媒であることを特徴とする請求項１−９のいずれかに記載の空気調和機。
【発明の詳細な説明】
【技術分野】
【０００１】
本発明は、例えば冷媒回路を備えた空気調和機に関する。
【背景技術】
【０００２】
空気調和機は、室外熱交換器を有する冷媒回路を備えたものが一般的である。従来の空気調和機には、冷媒回路の配管が破損した場合において室内への冷媒の漏れを防止するために、運転後に圧縮機を停止するときに、大部分の冷媒が室外機の室外熱交換器に閉じ込まれるように制御されるものがある（例えば特許文献１）。また、空気調和機を移設する場合、ポンプダウン運転によって冷媒が室外機の室外熱交換器に閉じ込まれることが多い。
【先行技術文献】
【特許文献】
【０００３】
【特許文献１】特許第４２６９３５３号
【発明の概要】
【発明が解決しようとする課題】
【０００４】
従来の空気調和機では、冷媒が室外機に閉じ込まれた状態において、圧縮機と室外熱交換器とが四路切換弁を介して連通する場合がある。この場合、多くの冷媒が室外熱交換器から圧縮機内に移動して、圧縮機内において多くの冷媒と冷凍機油とが混合される。したがって、例えば圧縮機の起動時において、冷凍機油が冷媒とともに圧縮機から吐出されやすく、圧縮機の信頼性が低下するという問題がある。
【０００５】
そこで、本発明の目的は、冷媒が室外機に閉じ込まれた状態において冷媒が室外熱交換器から圧縮機内に移動しないようにして圧縮機の信頼性を向上させることができる空気調和機を提供することである。
【課題を解決するための手段】
【０００６】
第１の発明にかかる空気調和機は、圧縮機と、四路切換弁と、室外熱交換器と、室内熱交換器とが接続された冷媒回路を備え、前記四路切換弁は、前記圧縮機の吐出側と前記室外熱交換器側とを連通させ且つ前記圧縮機の吸入側と前記室内熱交換器側とを連通させる第１状態と、前記圧縮機の吐出側と前記室内熱交換器側とを連通させ且つ前記圧縮機の吸入側と前記室外熱交換器側とを連通させる第２状態とを取り得るものであって、前記冷媒回路は、前記室内熱交換器と前記室外熱交換器との間に配置された第１閉鎖機構と、前記室外熱交換器と前記四路切換弁との間に配置された第２閉鎖機構とを有していることを特徴とする。
【０００７】
この空気調和機では、例えば冷媒回路の配管が破損した場合や空気調和機を移設する場合に、冷媒が室外熱交換器に閉じ込まれた状態において、室外熱交換器と四路切換弁との間を第２閉鎖機構によって閉鎖することができるので、圧縮機と室外熱交換器とが連通しない。したがって、冷媒が室外機に閉じ込まれた状態において、冷媒が室外熱交換器から圧縮機内に移動することがないので、圧縮機内において多くの冷媒と冷凍機油とが混合することがなく、圧縮機の信頼性を向上させることができる。
【０００８】
第２の発明にかかる空気調和機では、第１の発明にかかる空気調和機において、前記圧縮機、前記四路切換弁、前記室外熱交換器、前記第１閉鎖機構および前記第２閉鎖機構は、室外機の内部に配置されることを特徴とする。
【０００９】
この空気調和機では、第１閉鎖機構および前記第２閉鎖機構が室外機の内部に配置されるので、冷媒を室外機の内部だけに閉じ込めることができる。
【００１０】
第３の発明にかかる空気調和機では、第１または第２の発明にかかる空気調和機において、前記冷媒回路は、前記室外熱交換器と前記室内熱交換器との間に配置された流量調整用の電動弁を有しており、前記第１閉鎖機構が、前記電動弁と異なる電磁弁であることを特徴とする。
【００１１】
この空気調和機では、冷媒を室外熱交換器に閉じ込めるための第１閉鎖機構として電磁弁が使用されるので、第１閉鎖機構として流量調整用の電動弁が使用される場合より、冷媒を室外熱交換器に確実に閉じ込めることができる。
【００１２】
第４の発明にかかる空気調和機では、第１−第３のいずれかの発明にかかる空気調和機において、前記第１閉鎖機構および前記第２閉鎖機構が、非通電時に閉状態となるように構成されることを特徴とする。
【００１３】
この空気調和機では、冷媒が室外熱交換器に閉じ込まれた状態において停電になった場合でも、電磁弁は閉状態であるので、冷媒が閉じ込まれた状態が維持される。
【００１４】
第５の発明にかかる空気調和機では、第１−第４のいずれかの発明にかかる空気調和機において、前記冷媒回路は、複数の前記室内熱交換器を有しており、前記室外熱交換器と前記複数の室内熱交換器との間に接続された第１ヘッダと、前記四路切換弁と前記複数の室内熱交換器との間に接続された第２ヘッダと、前記第１ヘッダと前記第２ヘッダとをそれぞれ接続し且つ前記室内熱交換器がそれぞれ配置された複数の分岐路を有していることを特徴とする。
【００１５】
この空気調和機では、１つの室外熱交換器に複数の室内熱交換器が接続された冷媒回路においても、圧縮機の信頼性を向上させることができる。
【００１６】
第６の発明にかかる空気調和機では、第５の発明にかかる空気調和機において、前記冷媒回路は、前記複数の分岐路のそれぞれにおいて、前記第１ヘッダと前記室内熱交換器との間に配置された第３閉鎖機構と、前記第２ヘッダと前記室内熱交換器との間に配置された第４閉鎖機構とを有していることを特徴とする。
【００１７】
この空気調和機では、複数の分岐回路のいずれかにおいて冷媒漏れがあった場合、複数の分岐回路のうち冷媒漏れがあった分岐回路だけを閉鎖できる。
【００１８】
第７の発明にかかる空気調和機では、第６の発明にかかる空気調和機において、前記複数の分岐路に、冷媒漏れ検知用の圧力センサがそれぞれ配置されることを特徴とする。
【００１９】
この空気調和機では、冷媒漏れ検知用のセンサを、室内機および室外機の両方に配置しなくても、冷媒回路における冷媒漏れを検知できる。
【００２０】
第８の発明にかかる空気調和機では、第７の発明にかかる空気調和機において、前記圧力センサは、前記複数の分岐路のそれぞれにおいて、前記第３閉鎖機構と前記載第４閉鎖機構との間に配置されることを特徴とする。
【００２１】
この空気調和機では、複数の分岐回路のいずれかにおいて冷媒漏れがあった場合、その冷媒漏れがあった分岐回路を特定できる。
【００２２】
第９の発明にかかる空気調和機では、第５−第８のいずれかの発明にかかる空気調和機において、前記第１ヘッダおよび前記第２ヘッダは、室外機の内部に配置されており、前記室外機は、前記第１ヘッダおよび前記第２ヘッダのいずれかに接続され且つ室内機接続用の配管が接続される複数の配管接続部を有していることを特徴とする。
【００２３】
この空気調和機では、複数の室内機が接続される室外機においても、圧縮機の信頼性を向上させることができる。
【００２４】
第１０の発明にかかる空気調和機では、第１−第９のいずれかの発明にかかる空気調和機において、冷媒は、Ｒ３２冷媒であることを特徴とする。
【００２５】
この空気調和機では、冷媒として微燃性を有するＲ３２冷媒を使用した場合でも、圧縮機の信頼性を向上させることができる。
【発明の効果】
【００２６】
以上の説明に述べたように、本発明によれば、以下の効果が得られる。
【００２７】
第１の発明では、例えば冷媒回路の配管が破損した場合や空気調和機を移設する場合に、冷媒が室外熱交換器に閉じ込まれた状態において、室外熱交換器と四路切換弁との間を第２閉鎖機構によって閉鎖することができるので、圧縮機と室外熱交換器とが連通しない。したがって、冷媒が室外熱交換器に閉じ込まれた状態において、冷媒が室外熱交換器から圧縮機内に移動することがないので、圧縮機内において多くの冷媒と冷凍機油とが混合することがなく、圧縮機の信頼性を向上させることができる。
【００２８】
第２の発明では、第１閉鎖機構および前記第２閉鎖機構が室外機の内部に配置されるので、冷媒を室外機の内部だけに閉じ込めることができる。
【００２９】
第３の発明では、冷媒を室外熱交換器に閉じ込めるための第１閉鎖機構として電磁弁が使用されるので、第１閉鎖機構として流量調整用の電動弁が使用される場合より、冷媒を室外熱交換器に確実に閉じ込めることができる。
【００３０】
第４の発明では、冷媒が室外熱交換器に閉じ込まれた状態において停電になった場合でも、電磁弁は閉状態であるので、冷媒が閉じ込まれた状態が維持される。
【００３１】
第５の発明では、１つの室外熱交換器に複数の室内熱交換器が接続された冷媒回路においても、圧縮機の信頼性を向上させることができる。
【００３２】
第６の発明では、複数の分岐回路のいずれかにおいて冷媒漏れがあった場合、複数の分岐回路のうち冷媒漏れがあった分岐回路だけを閉鎖できる。
【００３３】
第７の発明では、冷媒漏れ検知用のセンサを、室内機および室外機の両方に配置しなくても、冷媒回路における冷媒漏れを検知できる。
【００３４】
第８の発明では、複数の分岐回路のいずれかにおいて冷媒漏れがあった場合、その冷媒漏れがあった分岐回路を特定できる。
【００３５】
第９の発明では、複数の室内機が接続される室外機においても、圧縮機の信頼性を向上させることができる。
【００３６】
第１０の発明では、冷媒として微燃性を有するＲ３２冷媒を使用した場合でも、圧縮機の信頼性を向上させることができる。
【図面の簡単な説明】
【００３７】
【図１】本発明の第１実施形態に係る空気調和機の冷媒回路を示す回路図である。
【図２】図１の空気調和機の制御部を説明する図である。
【図３】図１の空気調和機において冷房運転が行われているときに冷媒漏れが検知された場合の動作を説明する図である。
【図４】図１の空気調和機において暖房運転が行われているときに冷媒漏れが検知された場合の動作を説明する図である。
【図５】図１の空気調和機において運転停止指示があった場合の動作を説明する図である。
【図６】本発明の第２実施形態に係る空気調和機の冷媒回路を示す回路図である。
【図７】図６の空気調和機の制御部を説明する図である。
【図８】図６の空気調和機において冷房運転が行われているときに冷媒漏れが検知された場合の動作を説明する図である。
【図９】図６の空気調和機において暖房運転が行われているときに冷媒漏れが検知された場合の動作を説明する図である。
【図１０】本発明の第３実施形態に係る空気調和機の冷媒回路を示す回路図である。
【図１１】図１０の空気調和機の制御部を説明する図である。
【図１２】図１０の空気調和機において冷房運転が行われているときに冷媒漏れが検知された場合の動作を説明する図である。
【図１３】図１０の空気調和機において暖房運転が行われているときに冷媒漏れが検知された場合の動作を説明する図である。
【図１４】図１０の空気調和機において運転停止指示があった場合の動作を説明する図である。
【発明を実施するための形態】
【００３８】
以下、本発明に係る空気調和機１の実施の形態について説明する。
【００３９】
（第１実施形態）
＜空気調和機１の全体構成＞
図１に示すように、本実施形態の空気調和機１は、室内にそれぞれ設置される３台の室内機２と、室外に設置される室外機３とを備えている。室内機２は、液側配管５が接続される液側接続部２ａと、ガス側配管６が接続されるガス側接続部２ｂとを有しており、室外機３は、液側配管５が接続される液側接続部３ａと、ガス側配管６が接続されるガス側接続部３ｂとを有している。したがって、空気調和機１では、室内機２の液側接続部２ａと室外機３の液側接続部３ａとが液側配管５によって接続されるとともに、室内機２のガス側接続部２ｂと室外機３のガス側接続部３ｂとがガス側配管６によって接続される。
【００４０】
空気調和機１は、室内機２、室外機３、液側配管５およびガス側配管６によって構成された冷媒回路を備えている。冷媒回路は、圧縮機１０と、四路切換弁１１と、室外熱交換器１３と、３つの室内熱交換器１６とを接続したものであって、圧縮機１０、四路切換弁１１および室外熱交換器１３は、室外機３の内部に配置され、３つの室内熱交換器１６は、３台の室内機２の内部にそれぞれ配置される。本実施形態では、冷媒としてＲ３２冷媒が使用される。
【００４１】
四路切換弁１１は、圧縮機１０の吐出側と室外熱交換器１３側とを連通させ、且つ、圧縮機１０の吸入側と室内熱交換器１６側とを連通させる冷房状態（第１状態）と、圧縮機１０の吐出側と室内熱交換器１６側とを連通させ、且つ、圧縮機１０の吸入側と室外熱交換器１３側とを連通させる暖房状態（第２状態）とを取り得るものである。
【００４２】
室外機３の内部の冷媒回路において、四路切換弁１１と室外熱交換器１３との間には、電磁弁１２が配置される。電磁弁１２は、開状態および閉状態のいずれかを取り得るものであって、制御部５０によって制御されるものである。本実施形態では、電磁弁１２が、本発明において、室外熱交換器１３と四路切換弁１１との間に配置された第２閉鎖機構に対応する。
【００４３】
また、室外機３の内部の冷媒回路において、室外熱交換器１３より室内機２側には、液閉鎖弁２０が配置され、四路切換弁１１より室内機２側には、ガス閉鎖弁２１が配置される。液閉鎖弁２０およびガス閉鎖弁２１は、それぞれ、開状態および閉状態のいずれかを取り得るものであって、手動によって切り換えられるものである。
【００４４】
室外機３の内部の冷媒回路において、液閉鎖弁２０より室内機２側（室外熱交換器１３と複数の室内熱交換器１６との間）には、第１ヘッダ３０が配置され、ガス閉鎖弁２１より室内機２側（四路切換弁１１と複数の室内熱交換器１６との間）には、第２ヘッダ３１が配置される。室外熱交換器１３からの冷媒回路は、第１ヘッダ３０において、３つに分岐されて、それぞれ室外機３の３つの液側接続部３ａに接続される。一方、四路切換弁１１からの冷媒回路は、第２ヘッダ３１において、３つに分岐されて、それぞれ室外機３の３つのガス側接続部３ｂに接続される。したがって、冷媒回路は、第１ヘッダ３０と第２ヘッダ３１とをそれぞれ接続するとともに、室内熱交換器２がそれぞれ配置された３つの分岐路を有している。
【００４５】
３つの分岐路のそれぞれにおいて、第１ヘッダ３０と液側接続部３ａとの間には、電動弁１４が配置される。電動弁１４は、開状態と閉状態との間に対応した複数の開度を取り得るものであって、制御部５０によって制御されるものである。電動弁１４は、流量調整用の分岐回路における冷媒流量を調整するものであって、膨張弁としての機能も有している。また、電動弁１４は、非通電時に閉状態となる電動弁である。本実施形態では、電動弁１４が、本発明において、室内熱交換器１６と室外熱交換器１３との間に配置された第１閉鎖機構に対応するとともに、第１ヘッダ３０と室内熱交換器１６との間に配置された第３閉鎖機構に対応する。
【００４６】
３つの分岐回路のそれぞれにおいて、第２ヘッダ３１とガス側接続部３ｂとの間には、電磁弁１５が配置される。電磁弁１５は、開状態および閉状態のいずれかを取り得るものであって、制御部５０によって制御されるものである。また、電磁弁１５は、非通電時に閉状態となる電磁弁である。本実施形態では、電磁弁１５が、第２ヘッダ３１と室内熱交換器１６との間に配置された第４閉鎖機構に対応する。
【００４７】
空気調和機１は、冷房運転モードおよび暖房運転モードにおける運転が可能であって、リモコンによって、いずれかの運転を選択して運転開始操作を行ったり、運転切換操作、運転停止操作や室内温度の設定温度を変更する操作を行うことができる。
【００４８】
冷房運転モードでは、図示破線矢印で示すように、圧縮機１０から吐出された冷媒が四路切換弁１１から室外熱交換器１２、電動弁１４、室内熱交換器１６へと順に流れ、室内熱交換器１６を経た冷媒が四路切換弁１１を通って圧縮機１０に戻る冷房サイクルが形成される。すなわち、室外熱交換器１３が凝縮器、室内熱交換器１６が蒸発器として機能する。
【００４９】
一方、暖房運転モードでは、四路切換弁１１が切換わることにより、図示実線矢印で示すように、圧縮機１０から吐出される冷媒が四路切換弁１１から室内熱交換器１６、電動弁１４、室外熱交換器１３へと順に流れ、室外熱交換器１３を経た冷媒が四路切換弁１１を通って圧縮機１０に戻る暖房サイクルが形成される。すなわち、室内熱交換器１６が凝縮器、室外熱交換器１３が蒸発器として機能する。
【００５０】
また、３台の室内機２には、冷媒漏れ検知センサ１７がそれぞれ配置され、室外機３には、冷媒漏れ検知センサ１８が配置される。冷媒漏れ検知センサ１７、１８は、空気調和機１の制御部５０に接続されており、冷媒漏れを検知したときに、冷媒漏れ検知を示す信号を制御部５０に対して出力する。したがって、本実施形態の空気調和機１では、冷媒漏れ検知センサ１７によって室内における冷媒漏れを検知できるとともに、冷媒漏れ検知センサ１８によって室外における冷媒漏れを検知できる。
【００５１】
空気調和機１の制御部５０には、図２に示すように、圧縮機１０と、四路切換弁１１と、電磁弁１２と、３つの電動弁１４と、３つの電磁弁１５と、３つの冷媒漏れ検知センサ１７と、冷媒漏れ検知センサ１８とがそれぞれ接続される。したがって、制御部５０は、冷媒漏れ検知センサ１７、１８によって室内や室外における冷媒漏れが検知されたときに、電磁弁１２、３つの電動弁１４および３つの電磁弁１５を制御できる。
【００５２】
次に、図３−図５を参照して本実施形態の空気調和機１の制御（フロー）について説明する。
【００５３】
まず、図３を参照して冷房運転中に冷媒漏れが生じた場合の空気調和機１の制御について説明する。なお、以下において冷房運転には除湿運転が含まれるものとする。冷房運転中では（Ｓ１）、冷媒漏れ検知センサ１７、１８により冷媒漏れが検知されたか否かを判断し（Ｓ２）、冷媒漏れが検知されるまでそれを繰り返す。冷媒漏れが検知された場合（Ｓ２：Ｙｅｓ）、電動弁１４（室外熱交換器１３よりも冷媒流れ方向下流側の閉鎖機構）を閉鎖して（Ｓ３）、電動弁１４が閉鎖された状態のまま冷房運転を継続する（Ｓ４）。その結果、冷媒回路内の冷媒が電動弁１４よりも冷媒流れ方向下流側（室内機側）に流れるのが妨げられ、冷媒回路内の冷媒が順次室外熱交換器１３に貯留される。
【００５４】
その後、所定のタイミングで電磁弁１２（室外熱交換器１３よりも冷媒流れ方向上流側の閉鎖機構）を閉鎖して（Ｓ５）、冷房運転を停止する（Ｓ６）。したがって、室外熱交換器１３に貯留された冷媒が電動弁１４と電磁弁１２との間に閉じ込められた状態となるので、冷媒配管が破損して冷媒漏れが生じた場合に多量の冷媒が室内または室外に漏洩することが防止される。この電磁弁１２を閉鎖するタイミングとしては、冷媒回路内の冷媒の大部分が室外熱交換器１３に貯留されたあとであることが好ましい。例えば、電動弁１４を閉鎖してから冷媒回路内の冷媒の大部分が室外熱交換器１３に貯留されるまでの所定時間を予め決定しておき、その所定時間経過時に電磁弁１２を閉鎖してもよい。
【００５５】
なお、冷房運転時においては、冷媒は主に室外機３側に滞留している。したがって、この空気調和機１の制御では、室外機３側の冷媒が室内機２側に移動しないので、例えば室内機２側の冷媒配管が破損した場合に多量の冷媒が室内に漏洩することが抑制される。また、この空気調和機１の制御では、室外機３側に滞留した冷媒を素早く室外熱交換器１３に貯留できるので、例えば室外機３側の冷媒配管が破損した場合に多量の冷媒が室外に漏洩することが抑制される。
【００５６】
次に、図４を参照して暖房運転中に冷媒漏れが生じた場合の空気調和機１の制御について説明する。暖房運転中では（Ｓ１１）、冷媒漏れ検知センサ１７、１８により冷媒漏れが検知されたか否かを判断し（Ｓ１２）、冷媒漏れが検知されるまでそれを繰り返す。冷媒漏れが検知された場合（Ｓ１２：Ｙｅｓ）、冷媒が室外機側で漏れたか否かを判断する（Ｓ１３）。そして、冷媒が室外機３側で漏れた場合（Ｓ１３：Ｙｅｓ）、全ての電動弁２５及び第３電磁弁２６を閉鎖して（Ｓ１４）、暖房運転を停止する（Ｓ１５）。なお、冷媒が室外機側で漏れたか否かは、例えば冷媒漏れが室外機３内に配置された冷媒漏れ検知センサ１７で検知されたものであるか、それとも室内機２内に配置された冷媒漏れ検知センサ１８で検知されたものであるかで判断する。
【００５７】
一方、冷媒が室外機３側で漏れてない場合（冷媒が室内機２側で漏れた場合、Ｓ１３：Ｎｏ）、３台の室内機２にそれぞれ配置された各冷媒漏れ検知センサ１７により冷媒漏れが生じた分岐路を特定して、冷媒漏れが生じた分岐路に接続された電動弁１４及び電磁弁１５を閉鎖する（Ｓ１６）。そして、冷媒漏れが生じてない分岐路に接続された電動弁１４及び電磁弁１５を開状態に維持し、電磁弁１２（室外熱交換器１３よりも冷媒流れ方向下流側の閉鎖機構）を閉鎖して（Ｓ１７）、電磁弁１２が閉鎖された状態のまま暖房運転を継続する（Ｓ１８）。その結果、冷媒回路内の冷媒が電磁弁１２よりも冷媒流れ方向下流側に流れるのが妨げられ、冷媒回路内の冷媒が順次室外熱交換器１３に貯留される。
【００５８】
そして、所定のタイミングで冷媒漏れが生じてない分岐路に接続された残りの電動弁１４（室外熱交換器１３よりも冷媒流れ方向上流側の閉鎖機構）及び電磁弁１５を閉鎖して（Ｓ１９）、暖房運転を停止する（Ｓ１５）。この電動弁１４を閉鎖するタイミングとしては、冷房運転時の電磁弁１２を閉鎖するタイミングと同様に、冷媒回路内の冷媒の大部分が室外熱交換器１３に貯留された後であることが好ましい。
【００５９】
なお、暖房運転時においては、冷媒は主に室内機２側に滞留している。したがって、この空気調和機１の制御では、冷媒が室外機３側で漏れた場合には、室内機２側に滞留した冷媒が電動弁１４と電磁弁１５との間に閉じ込められた状態となるので、室内機２側の冷媒が室外機３側に移動して多量の冷媒が室外に漏洩することが抑制される。また、この空気調和機１の制御では、冷媒が室内機２側で漏れた場合には、冷媒漏れが生じた分岐路が電動弁１４と電磁弁１５とにより他の冷媒回路から遮断されるので、冷媒漏れが生じた分岐路から多量の冷媒が室内に漏洩することが抑制される。
【００６０】
次に、図５を参照して空気調和機１の運転が停止される時の空気調和機１の制御について説明する。まず、冷房運転中または暖房運転中において、運転停止指示（自動停止を含む）があったか否かを判断し（Ｓ２１）、運転停止指示があるまでそれを繰り返す。運転停止指示があった場合（Ｓ２１：Ｙｅｓ）、冷房運転中であるか否かを判断する（Ｓ２２）。冷房運転中である場合（Ｓ２２：Ｙｅｓ）、電動弁１４（室外熱交換器１３よりも冷媒流れ方向下流側の閉鎖機構）を閉鎖して（Ｓ２３）、冷房運転を継続する（Ｓ２５）。一方、冷房運転中でない場合（Ｓ２２：Ｎｏ）、すなわち暖房運転中である場合、冷房運転（ポンプダウン運転、強制冷房運転）に切り替えて（Ｓ２４）、ステップＳ２３、Ｓ２５を実行する。その結果、冷媒回路内の冷媒が電動弁１４よりも冷媒流れ方向下流側（室内機側）に流れるのが妨げられ、冷媒回路内の冷媒が順次室外熱交換器１３に貯留される。
【００６１】
そして、所定のタイミングで電磁弁１２（室外熱交換器１３よりも冷媒流れ方向上流側の閉鎖機構）を閉鎖して（Ｓ２６）、冷房運転を停止する（Ｓ２７）。その結果、空気調和機１の運転が停止される時に、常に、冷媒が室外熱交換器１３に貯留されて電動弁１４と電磁弁１２との間に閉じ込められた状態となるので、空気調和機１の運転停止中に冷媒配管が破損して冷媒漏れが生じた場合に多量の冷媒が室内または室外に漏洩することが抑制される。なお、電磁弁１２を閉鎖するタイミングとしては、冷媒回路内の冷媒の大部分が室外熱交換器１３に貯留されたあとであることが好ましい。
【００６２】
＜本実施形態の空気調和機の特徴＞
本実施形態の空気調和機では、冷媒が室外熱交換器１３に閉じ込まれた状態において、室外熱交換器１３と四路切換弁１１との間を電磁弁１２によって閉鎖することができるので、圧縮機１０と室外熱交換器１３とが連通しない。したがって、冷媒が室外熱交換器１３に閉じ込まれた状態において、冷媒が室外熱交換器１３から圧縮機１０内に移動することがないので、圧縮機１０内において多くの冷媒と冷凍機油とが混合することがなく、圧縮機１０の信頼性を向上させることができる。
【００６３】
また、本実施形態の空気調和機では、室外熱交換器１３の室内熱交換器１６側に配置された電動弁１４、および、室外熱交換器１３の四路切換弁１１側に配置された電磁弁１２が、室外機３の内部に配置されるので、冷媒を室外機３の内部だけに閉じ込めることができる。
【００６４】
また、本実施形態の空気調和機では、室外熱交換器１３の室内熱交換器１６側に配置された電動弁１４、および、室外熱交換器１３の四路切換弁１１側に配置された電磁弁１２が、非通電時に閉状態となる電動弁および電磁弁であるので、冷媒が室外熱交換器１３に閉じ込まれた状態において停電になった場合でも、電動弁１４および電磁弁１２は閉状態であるので、冷媒が閉じ込まれた状態が維持される。
【００６５】
また、本実施形態の空気調和機では、冷媒回路が、第１ヘッダ３０と第２ヘッダ３１とをそれぞれ接続し、且つ、室内熱交換器１６がそれぞれ配置された３つの分岐路を有しており、１つの室外熱交換器１３に対して３つの室内熱交換器１６が接続された冷媒回路においても、圧縮機１０の信頼性を向上させることができる。
【００６６】
また、本実施形態の空気調和機では、冷媒回路が、３つの分岐路のそれぞれにおいて、第１ヘッダ３０と室内熱交換器１６との間に配置された電動弁１４と、第２ヘッダ３１と室内熱交換器１６との間に配置された電磁弁１５とを有しているので、３つの分岐回路のいずれかにおいて冷媒漏れがあった場合、３つの分岐回路のうち冷媒漏れがあった分岐回路だけを閉鎖できる。
【００６７】
また、本実施形態の空気調和機では、室外機が、第１ヘッダ３０および第２ヘッダ３１のいずれかに接続され、且つ、室内機接続用の配管が接続される複数の配管接続部３ａ、３ｂを有しているので、複数の室内機２が接続される室外機３においても、圧縮機１０の信頼性を向上させることができる。
【００６８】
また、本実施形態の空気調和機では、冷媒として微燃性を有するＲ３２冷媒を使用されるが、この場合でも、圧縮機の信頼性を向上させることができる。また、冷媒としてＲ３２冷媒が使用される場合において冷媒漏れがあったときでも、冷媒が室外機３内（室外熱交換器１３）に閉じ込められるので、冷媒漏れに基づく問題はない。
【００６９】
（第２実施形態）
図６−図９は、この発明の第２実施形態を示している。第１実施形態の空気調和機１では、冷媒の漏れを検知するために、冷媒漏れ検知センサ１７、１８が室内機２及び室外機３に配置されるのに対し、第２実施形態の空気調和機１０１では、圧力センサ１１７が室外機３に配置される点で大きく異なっている。なお、その他の構成は、第１実施形態と略同一の構成であるため、その説明を省略する。
【００７０】
第２実施形態の空気調和機１０１では、図６に示すように、３つの分岐路のそれぞれにおいて、第１ヘッダ３０と液側接続部３ａとの間には、電動弁１４が配置されるとともに、電動弁１４と液側接続部３ａとの間には、圧力センサ１１７が配置される。したがって、圧力センサ１１７は、３つの分岐路のそれぞれにおいて、電動弁１４より室内熱交換器１６側に配置される。
【００７１】
圧力センサ１１７は、冷媒回路内（分岐路内）の冷媒圧力を検出するものであって、空気調和機１の制御部５０に接続されており、冷媒回路内の冷媒圧力を示す信号を制御部５０に対して出力する。したがって、本実施形態の空気調和機１０１では、制御部５０において、冷媒回路内（分岐路内）の冷媒圧力を監視することができて、その冷媒圧力に基づいて冷媒回路内（分岐路内）における冷媒漏れを検知できる。
【００７２】
第２実施形態の空気調和機１０１の制御部５０は、冷媒漏れ検知部を有している。冷媒漏れ検知部は、圧力センサ１１７からの出力に基づいて冷媒回路内（分岐路内）における冷媒漏れを検知する。
【００７３】
本実施形態の冷媒漏れ検知部は、例えば、冷媒回路内（分岐路内）において冷媒漏れがない場合の種々の運転状態（例えば、室内熱交換器１６の温度）に対する冷媒圧力を記憶しており、圧力センサ１１７によって検知された冷媒圧力が、その記憶された冷媒圧力より所定量以上低いときに、冷媒回路内（分岐路内）において冷媒漏れしていると検知する。
【００７４】
本実施形態の空気調和機１０１では、冷媒漏れ検知部において冷媒漏れが検知された場合、３つの分岐路の全ての電動弁１４及び電磁弁１５を閉鎖して、それぞれの分岐路の圧力センサ１１７によって検知された冷媒圧力に基づいて、３つの分岐路のいずれかにおいて冷媒漏れがあったかを検知する。例えば、３つの分岐路の冷媒圧力のうちで、冷媒回路内において冷媒漏れがない場合の種々の運転状態（例えば、室内熱交換器１６の温度）に対する冷媒圧力より所定量以上低い分岐路があるときは、その分岐路において冷媒漏れしていると検知する。一方、３つの分岐路の冷媒圧力のうちで、冷媒回路内において冷媒漏れがない場合の種々の運転状態（例えば、室内熱交換器１６の温度）に対する冷媒圧力より所定量以上低い分岐路がないときは、３つの分岐路において冷媒漏れしてないので、冷媒回路の３つの分岐路以外の部分（室外機３内）で冷媒漏れしていると検知する。
【００７５】
第２実施形態の空気調和機１０１の制御部５０には、図７に示すように、圧縮機１０と、四路切換弁１１と、電磁弁１２と、３つの電動弁１４と、３つの電磁弁１５と、３つの圧力センサ１１７とがそれぞれ接続される。したがって、制御部５０は、圧力センサ１１７からの出力に基づいて冷媒回路内（分岐路内）における冷媒漏れを検知したときに、電磁弁１２、３つの電動弁１４および３つの電磁弁１５を制御できる。
【００７６】
次に、図８及び図９を参照して本実施形態の空気調和機の制御（フロー）について説明する。なお、空気調和機の運転が停止される時の空気調和機の制御は、上記第１実施形態と同じであるためその説明を割愛する。
【００７７】
まず、図８を参照して冷房運転中に冷媒漏れが生じた場合の空気調和機の制御について説明する。冷房運転中では（Ｓ２０１）、圧力センサ１１７により検知された圧力が異常であるか否かを検知し（Ｓ２０２）、異常を検知するまでそれを繰り返す。圧力が異常であることを検知した場合（Ｓ２０２：Ｙｅｓ）、電動弁１４（室外熱交換器１３よりも冷媒流れ方向下流側の閉鎖機構）を閉鎖して（Ｓ２０３）、電動弁１４が閉鎖された状態のまま冷房運転を継続する（Ｓ２０４）。その結果、冷媒回路内の冷媒が電動弁１４よりも冷媒流れ方向下流側（室内機側）に流れるのが妨げられ、冷媒回路内の冷媒が順次室外熱交換器１３に貯留される。
【００７８】
その後、所定のタイミングで電磁弁１２（室外熱交換器１３よりも冷媒流れ方向上流側の閉鎖機構）を閉鎖して（Ｓ２０５）、冷房運転を停止する（Ｓ２０６）。したがって、室外熱交換器１３に貯留された冷媒が電動弁１４と電磁弁１２との間に閉じ込められた状態となるので、冷媒配管が破損して冷媒漏れが生じた場合に多量の冷媒が室内または室外に漏洩することが防止される。この電磁弁１２を閉鎖するタイミングとしては、上記第１実施形態と同様に、冷媒回路内の冷媒の大部分が室外熱交換器１３に貯留された後であることが好ましい。
【００７９】
次に、図９を参照して暖房運転中に冷媒漏れが生じた場合の空気調和機の制御について説明する。暖房運転中では（Ｓ２１１）、圧力センサ１１７により検知された圧力が異常であるか否かを検知し（Ｓ２１２）、異常を検知するまでそれを繰り返す。圧力が異常であることを検知した場合（Ｓ２１２：Ｙｅｓ）、冷媒が室外機３側で漏れたか否かを判断する（Ｓ２１３）。そして、冷媒が室外機３側で漏れた場合（Ｓ２１３：Ｙｅｓ）、全ての電動弁１４及び電磁弁１５を閉鎖して（Ｓ２１４）、暖房運転を停止する（Ｓ２１５）。
【００８０】
一方、冷媒が室外機３側で漏れてない場合（冷媒が室内機２側で漏れた場合、Ｓ２１３：Ｎｏ）、各分岐路にそれぞれ配置された各圧力センサ１１７により冷媒漏れが生じた分岐路を特定して、冷媒漏れが生じた分岐路に接続された電動弁１４及び電磁弁１５を閉鎖する（Ｓ２１６）。そして、電磁弁１２（室外熱交換器１３よりも冷媒流れ方向下流側の閉鎖機構）を閉鎖して（Ｓ２１７）、電磁弁１２が閉鎖された状態のまま暖房運転を継続する（Ｓ２１８）。その結果、冷媒回路内の冷媒が電磁弁１２よりも冷媒流れ方向下流側に流れるのが妨げられ、冷媒回路内の冷媒が順次室外熱交換器１３に貯留される。
【００８１】
そして、所定のタイミングで冷媒漏れが生じていない分岐路に接続された残りの電動弁１４及び電磁弁１５を閉鎖して（Ｓ２０９）、暖房運転を停止する（Ｓ２１５）。この電動弁１４を閉鎖するタイミングとしては、冷房運転時の電磁弁１２を閉鎖するタイミングと同様に、冷媒回路内の冷媒の大部分が室外熱交換器１３に貯留されたあとであることが好ましい。
【００８２】
＜本実施形態の空気調和機の特徴＞
本実施形態の空気調和機では、第１実施形態の空気調和機と同様の効果が得られる。
【００８３】
また、本実施形態の空気調和機では、複数の分岐路に、冷媒漏れ検知用の圧力センサ１１７がそれぞれ配置されるので、冷媒漏れ検知用のセンサを、室内機２および室外機３の両方に配置しなくても、冷媒回路における冷媒漏れを検知できる。
【００８４】
また、本実施形態の空気調和機では、圧力センサ１１７が、３つの分岐路のそれぞれにおいて、電動弁１４と電磁弁１５との間に配置されるので、３つの分岐回路のいずれかにおいて冷媒漏れがあった場合、その冷媒漏れがあった分岐回路を特定できる。
【００８５】
（第３実施形態）
図１０−図１４は、この発明の第３実施形態を示している。第１実施形態の空気調和機１では、１つの室外熱交換器３に対して３つ（複数）の室内熱交換器が接続されるのに対し、第３実施形態の空気調和機２０１では、１つの室外熱交換器３に対して１つの室内熱交換器が接続される点で大きく異なっている。なお、その他の構成は、第１実施形態と略同一の構成であるため、その説明を省略する。
【００８６】
本実施形態の空気調和機２０１は、図１０に示すように、室内に設置される１台の室内機２と、室外に設置される室外機３とを備えている。空気調和機２０１は、室内機２、室外機３、液側配管５およびガス側配管６によって構成された冷媒回路を備えている。冷媒回路は、圧縮機１０と、四路切換弁１１と、室外熱交換器１３と、１つの室内熱交換器１６とを接続したものである。
【００８７】
室外機３の内部の冷媒回路において、室外熱交換器１３と室内熱交換器１６との間には、電動弁１４が配置される。電動弁１４は、開状態と閉状態との間に対応した複数の開度を取り得るものであって、制御部５０によって制御されるものである。電動弁１４は、流量調整用の分岐回路における冷媒流量を調整するものであって、膨張弁としての機能も有している。
【００８８】
室外機３の内部の冷媒回路において、室外熱交換器１３と電動弁１４との間には、電磁弁２１２が配置される。電磁弁２１２は、開状態および閉状態のいずれかを取り得るものであって、制御部５０によって制御されるものである。本実施形態では、電磁弁２１２が、本発明において、室内熱交換器１６と室外熱交換器１３との間に配置された第１閉鎖機構に対応する。
【００８９】
図１１に示すように、空気調和機２０１の制御部５０には、圧縮機１０と、四路切換弁１１と、電磁弁１２と、電動弁１４と、電磁弁２１２、冷媒漏れ検知センサ１７と、冷媒漏れ検知センサ１８とがそれぞれ接続される。したがって、制御部５０は、冷媒漏れ検知センサ１７、１８によって室内や室外における冷媒漏れが検知されたときに、電磁弁１２および電磁弁２１２を制御できる。
【００９０】
次に、図１２−図１４を参照して本実施形態の空気調和機の制御（フロー）について説明する。
【００９１】
まず、図１２を参照して冷房運転中に冷媒漏れが生じた場合の空気調和機の制御について説明する。なお、以下において冷房運転には除湿運転が含まれるものとする。冷房運転中では（Ｓ３０１）、冷媒漏れ検知センサ１７、１８により冷媒漏れが検知されたか否かを判断し（Ｓ３０２）、冷媒漏れが検知されるまでそれを繰り返す。冷媒漏れが検知された場合（Ｓ３０２：Ｙｅｓ）、電磁弁２１２（室外熱交換器１３よりも冷媒流れ方向下流側の閉鎖機構）を閉鎖して（Ｓ３０３）、電磁弁２１２が閉鎖された状態のまま冷房運転を継続する（Ｓ３０４）。その結果、冷媒回路内の冷媒が電磁弁２１２よりも冷媒流れ方向下流側（室内機側）に流れるのが妨げられ、冷媒回路内の冷媒が順次室外熱交換器１３に貯留される。
【００９２】
そして、冷房運転時において室外熱交換器１３よりも冷媒流れ方向上流側にあたる電磁弁１２を所定のタイミングで閉鎖して（Ｓ３０５）、冷房運転を停止する（Ｓ３０６）。したがって、室外熱交換器１３に貯留された冷媒が電磁弁２１２と電磁弁１２との間に閉じ込められた状態となるので、冷媒配管が破損して冷媒漏れが生じた場合に多量の冷媒が室内または室外に漏洩することが防止される。この電磁弁１２を閉鎖するタイミングとしては、上記第１実施形態と同様に、冷媒回路内の冷媒の大部分が室外熱交換器１３に貯留された後であることが好ましい。
【００９３】
次に、図１３を参照して暖房運転中に冷媒漏れが生じた場合の空気調和機の制御について説明する。暖房運転中では（Ｓ３１１）、冷媒漏れ検知センサ１７、１８により冷媒漏れが検知されたか否かを判断し（Ｓ３１２）、冷媒漏れが検知されるまでそれを繰り返す。冷媒漏れが検知された場合（Ｓ３１２：Ｙｅｓ）、電磁弁１２（室外熱交換器１３よりも冷媒流れ方向下流側の閉鎖機構）を閉鎖して（Ｓ３１３）、電磁弁１２が閉鎖された状態のまま暖房運転を継続する（Ｓ３１４）。その結果、冷媒回路内の冷媒が電磁弁１２よりも冷媒流れ方向下流側に流れるのが妨げられ、冷媒回路内の冷媒が順次室外熱交換器１３に貯留される。
【００９４】
そして、所定のタイミングで電磁弁２１２（室外熱交換器１３よりも冷媒流れ方向上流側の閉鎖機構）を閉鎖して（Ｓ３１５）、暖房運転を停止する（Ｓ３１６）。したがって、室外熱交換器１３に貯留された冷媒が電磁弁２１２と電磁弁１２との間に閉じ込められた状態となるので、冷媒漏れが生じた場合に多量の冷媒が室内または室外に漏洩することが防止される。この電磁弁２１２を閉鎖するタイミングとしては、冷房運転時の電磁弁１２を閉鎖するタイミングと同様に、冷媒回路内の冷媒の大部分が室外熱交換器１３に貯留された後であることが好ましい。
【００９５】
そして、冷房運転時において室外熱交換器１３よりも冷媒流れ方向上流側にあたる電磁弁１２を所定のタイミングで閉鎖して（Ｓ２６）、冷房運転を停止する（Ｓ２７）。その結果、室外熱交換器１３に貯留された冷媒が電磁弁２１２と電磁弁１２との間に閉じ込められた状態となるので、冷媒配管が破損して冷媒漏れが生じた場合に多量の冷媒が室内または室外に漏洩することが防止される。この電磁弁１２を閉鎖するタイミングとしては、冷媒回路内の冷媒の大部分が室外熱交換器１３に貯留された後であることが好ましい。
【００９６】
次に、図１４を参照して空気調和機の運転が停止される時の空気調和機の制御について説明する。まず、冷房運転中または暖房運転中において、運転停止指示（自動停止を含む）があったか否かを判断し（Ｓ３２１）、運転停止指示があるまでそれを繰り返す。運転停止指示があった場合（Ｓ３２１：Ｙｅｓ）、冷房運転中であるか否かを判断する（Ｓ３２２）。冷房運転中である場合（Ｓ３２２：Ｙｅｓ）、電磁弁２１２（室外熱交換器１３よりも冷媒流れ方向下流側の閉鎖機構）を閉鎖して（Ｓ３２３）、冷房運転を継続する（Ｓ３２５）。一方、冷房運転中でない場合（Ｓ３２２：Ｎｏ）、すなわち暖房運転中である場合、冷房運転（ポンプダウン運転、強制冷房運転）に切り替えて（Ｓ３２４）、ステップＳ３２３、Ｓ３２５を実行する。その結果、冷媒回路内の冷媒が電磁弁２１２よりも冷媒流れ方向下流側（室内機側）に流れるのが妨げられ、冷媒回路内の冷媒が順次室外熱交換器１３に貯留される。
【００９７】
そして、所定のタイミングで電磁弁１２（室外熱交換器１３よりも冷媒流れ方向上流側の閉鎖機構）を閉鎖して（Ｓ３２６）、冷房運転を停止する（Ｓ３２７）。その結果、空気調和機の運転が停止される時に、常に、冷媒が室外熱交換器１３に貯留されて電磁弁２１２と電磁弁１２との間に閉じ込められた状態となるので、空気調和機の運転停止中に冷媒配管が破損して冷媒漏れが生じた場合に多量の冷媒が室内または室外に漏洩することが抑制される。なお、電磁弁１２を閉鎖するタイミングとしては、冷媒回路内の冷媒の大部分が室外熱交換器１３に貯留された後であることが好ましい。
【００９８】
＜本実施形態の空気調和機の特徴＞
本実施形態の空気調和機では、第１実施形態の空気調和機と同様の効果が得られる。
【００９９】
また、本実施形態の空気調和機では、冷媒回路が、室外熱交換器１３と室内熱交換器１６との間に配置された流量調整用の電動弁１４と、室外熱交換器１３と電動弁１４との間に配置された電動弁１４と異なる電磁弁２１２とを有しており、冷媒を室外熱交換器１３に閉じ込めるために電磁弁２１２が使用されるので、流量調整用の電動弁１４が使用される場合より、冷媒を室外熱交換器１３に確実に閉じ込めることができる。
【０１００】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【０１０１】
例えば、上述の第１−第３実施形態では、圧縮機１０、四路切換弁１１、室外熱交換器１３、冷媒を室外熱交換器１３に閉じ込めるための第１閉鎖機構（電動弁１４）および第２閉鎖機構（電磁弁１２）が室外機３の内部に配置される場合について説明したが、圧縮機１０、四路切換弁１１、室外熱交換器１３、冷媒を室外熱交換器１３に閉じ込めるための第１閉鎖機構および第２閉鎖機構が室外機３の内部に配置されなくてよい。
【０１０２】
また、上述の第１−第２実施形態では、冷媒回路が、室外熱交換器１３と室内熱交換器１６との間に配置された流量調整用の電動弁１４を有しており、冷媒を室外熱交換器１３に閉じ込めるための第１閉鎖機構として電動弁１４が使用される場合について説明したが、第３実施形態と同様に、第１閉鎖機構として、電動弁１４と異なる電磁弁が、室外熱交換器１３と室内熱交換器１６との間に配置され、その電磁弁が、冷媒を室外熱交換器１３に閉じ込めるために使用されてよい。
【０１０３】
また、上述の実施形態では、冷媒を室外熱交換器１３に閉じ込めるための第１閉鎖機構（電動弁１４）および第２閉鎖機構（電磁弁１２）が、非通電時に閉状態となるように構成される場合について説明したが、非通電時に閉状態となるように構成されたものでなくてよい。
【０１０４】
また、上述の第１−第２実施形態では、１台の室外機３に対して３台の室内機２が接続される場合について説明したが、１台の室外機３に対して接続される室内機２の台数は変更してよい。
【０１０５】
また、上述の第１−第２実施形態では、冷媒回路が、複数の分岐路のそれぞれにおいて、第１ヘッダ３０と室内熱交換器１６との間に配置された第３閉鎖機構と、第２ヘッダ３１と室内熱交換器１６との間に配置された第４閉鎖機構とを有している場合について説明したが、複数の分岐路のそれぞれに、第３閉鎖機構および第４閉鎖機構が配置されてなくてよい。
【０１０６】
また、上述の第１−第２実施形態では、複数の分岐路に、冷媒漏れ検知用の圧力センサ１１７がそれぞれ配置される場合について説明したが、複数の分岐路に、冷媒漏れ検知用の圧力センサの代わりに、冷媒漏れ検知用の温度センサがそれぞれ配置されてよい。
【０１０７】
また、上述の第１−第２実施形態では、圧力センサ１１７が、複数の分岐路のそれぞれにおいて、第３閉鎖機構（電動弁１４）と第４閉鎖機構（電磁弁１５）との間に配置される場合について説明したが、圧力センサ１１７が、複数の分岐路のそれぞれにおいて、第３閉鎖機構（電動弁１４）と第４閉鎖機構（電磁弁１５）との間に配置されなくてよい。
【０１０８】
また、上述の第１−第２実施形態では、第１ヘッダ３０および第２ヘッダ３１が、室外機３の内部に配置されており、室外機３が、第１ヘッダ３０および第２ヘッダ３１のいずれかに接続され且つ室内機接続用の配管が接続される複数の配管接続部を有している場合について説明したが、第１ヘッダおよび第２ヘッダが、室外機３と異なる分岐ユニットの内部に配置されており、その分岐ユニットが、その分岐ユニットを介して室内機２と室外機３とが接続されるものであってよい。
【０１０９】
また、上述の第１−第３実施形態では、冷媒としてＲ３２冷媒が使用される場合について説明したが、その他の冷媒が使用されてよい。
【産業上の利用可能性】
【０１１０】
本発明を利用すれば、冷媒が室外機に閉じ込まれた状態において冷媒が室外熱交換器から圧縮機内に移動しないようにして圧縮機の信頼性を向上させることができる。
【符号の説明】
【０１１１】
１、１０１、２０１  空気調和機
２  室内機
３  室外機
３ａ、３ｂ配管接続部
１０  圧縮機
１１  四路切換弁
１２  電磁弁（第２閉鎖機構）
１３  室外熱交換器
１４  電動弁（第１閉鎖機構、第３閉鎖機構）
１５  電磁弁（第４閉鎖機構）
１６  室内熱交換器
１７  冷媒漏れ検知センサ
１８  冷媒漏れ検知センサ
３０  第１ヘッダ
３１  第２ヘッダ
１１７  圧力センサ
２１２  電磁弁（第１閉鎖機構）
【図１】
2015094573.tif 000003
【図２】
2015094573.tif 000004
【図３】
2015094573.tif 000005
【図４】
2015094573.tif 000006
【図５】
2015094573.tif 000007
【図６】
2015094573.tif 000008
【図７】
2015094573.tif 000009
【図８】
2015094573.tif 000010
【図９】
2015094573.tif 000011
【図１０】
2015094573.tif 000012
【図１１】
2015094573.tif 000013
【図１２】
2015094573.tif 000014
【図１３】
2015094573.tif 000015
【図１４】
2015094573.tif 000016